(57)【要約】【課題】外付けキーボードからかなモードで濁・半濁音キーコードを適正に処理できない機種でも適正に変換処理可能な携帯電話用外付けキーボードかな入力制御方法を得る。【解決手段】直前のかなキーコードとは別個に独立した一文字分の濁・半濁音記号「゛」又は「゜」をディスプレイ表示してしまう機種の携帯電話において、外付けキーボードの制御部１６が、かなキーに続いて適正な濁・半濁音記号「゛」又は「゜」のキーが入力されたとき、この濁・半濁音かな文字のキーコードを外付けキーボードのメモリ２５に一時的に記憶し、外付けキーボードの制御部１６が、携帯電話の「Ｃｌｅａｒ」に対応するキーコードを携帯電話１１の制御部１７に２回送出して、独立した一文字分の濁・半濁音記号「゛」又は「゜」、並びに直前のかな文字を削除し、メモリ２５に一時記憶した濁・半濁音かな文字のキーコードを携帯電話の制御部１７に送出する。【選択図】図３
2005136927.tif 000002
【特許請求の範囲】
【請求項１】
ＰＣに準拠するキー配列を有し、マイクロコンピュータを内蔵する携帯電話用外付けキーボードが、携帯電話自体のテンキー操作を代行して携帯電話の制御部に対する入力信号を発生するようにした携帯電話用外付けキーボードのかな入力制御方法であり、外付けキーボードがかな入力モードでかな漢字変換の文字列変換前に携帯電話の制御部に濁音記号「゛」のキーコード又は半濁音記号「゜」のキーコードを送出するとき、直前のかなキーコードに関する濁音かな文字又は半濁音かな文字とならずに、直前のかなキーコードとは別個に独立した一文字分の濁音記号「゛」又は半濁音記号「゜」をディスプレイ表示してしまう機種の携帯電話に関する外付けキーボードのかな入力制御方法において、
外付けキーボードの制御部が、かなのキーに続いて適正な濁音記号「゛」のキー又は半濁音記号「゜」のキーが入力されたとき濁音かな文字又は半濁音かな文字の入力であると認識して、この濁音かな文字のキーコード又は半濁音かな文字のキーコードを外付けキーボードのメモリに一時的に記憶させるステップと、
外付けキーボードの制御部が、携帯電話の「Ｃｌｅａｒ」に対応するキーコードを前記携帯電話の制御部に２回送出して、独立した一文字分の濁音記号「゛」、又は半濁音記号「゜」、並びに直前のかな文字を削除するステップと、
前記メモリに一時記憶した濁音かな文字のキーコード又は半濁音かな文字のキーコードを前記携帯電話の制御部に送出するステップと
よりなることを特徴とする携帯電話用外付けキーボードのかな入力制御方法。
【請求項２】
前記外付けキーボードの制御部は、キーボードが携帯電話に接続されたとき、携帯電話の機種を判別し、外付けキーボードからのかなモードの入力でも、濁音記号「゛」のキーコード又は半濁音記号「゜」のキーコードを送出する際に、直前のかなキーコードに関する濁音かな文字又は半濁音かな文字であると認識できる機種である場合、前記一連のステップを行わないように制御変更できる構成とした請求項１記載の携帯電話用外付けキーボードのかな入力制御方法。
【発明の詳細な説明】
【技術分野】
【０００１】
本発明は、ＰＣに準拠するキー配列を有し、マイクロコンピュータを内蔵する携帯電話用外付けキーボードが、携帯電話自体のテンキー操作を代行して携帯電話の制御部に対する入力信号を発生するようにした携帯電話用外付けキーボードのかな入力制御方法であり、外付けキーボードがかな入力モードでかな漢字変換の文字列変換前に携帯電話の制御部に濁音記号「゛」のキーコード又は半濁音記号「゜」のキーコードを送出するとき、直前のかなキーコードに関する濁音かな文字又は半濁音かな文字とならずに、直前のかなキーコードとは別個に独立した一文字分の濁音記号「゛」又は半濁音記号「゜」をディスプレイ表示してしまう機種の携帯電話に関する外付けキーボードのかな入力制御方法に関するものである。
【背景技術】
【０００２】
本願人は、携帯電話を製造するメーカーとは無関係なベンチャー企業であるサードパーティーとして、各種携帯電話に外付けすることができ、ＰＣに準拠するキー配列を有し、マイクロコンピュータを内蔵する携帯電話用外付けキーボードに関する特許出願を幾つか行ってきた。これら特許出願は、リュウド（株）製の「Rboard for Keitai（TM)」として製品化されている（例えば、非特許文献１参照。）
【非特許文献１】"Rboard for Keitai"、[Online] 、リュウド株式会社、[平成１５年９月２３日検索]、インターネット＜URL＼http://www.reudo.co.jp/rboardk＞
【発明の開示】
【発明が解決しようとする課題】
【０００３】
しかし、製品化された従来の携帯電話用外付けキーボードは、「ローマ字入力」方式に特化していたため、かな漢字変換の文字列変換前に携帯電話の制御部に濁音記号「゛」のキーコード又は半濁音記号「゜」のキーコードを送出するとき、直前のかなキーコードに関する濁音かな文字又は半濁音かな文字とならずに、直前のかなキーコードとは別個に独立した一文字分の濁音記号「゛」又は半濁音記号「゜」をディスプレイ表示してしまう機種の携帯電話があることに気が付かなかった。
【０００４】
即ち、このような機種の携帯電話では、例えば、外付けキーボードによりローマ字入力モードでなく、かな入力モードで「議事堂に雷が落ちた」という文章を入力したいとき、「ぎじどうに」という未確定文字列が携帯電話のディスプレイに表示されるのではなく、「き゛し゛と゛うに」と表示され、変換対象文字列として意味をなさないものになる。従って、「議事堂に」と正しく変換されないことになる。
【０００５】
一方、「ローマ字入力」に特化し、図１に示すように、キーボードのキーに「かな」の刻印を付けない従来製品の携帯電話用外付けキーボードではこのような問題は起こらなかった。即ち、「ローマ字入力」であれば、濁音又は半濁音の「子音」であるアルファベットのＢ，Ｄ，Ｇ，Ｊ，Ｐ，Ｖ，Ｚと、「母音」であるＡ，Ｉ，Ｕ，Ｅ，Ｏの組み合わせがキーボードから入力されたとき、外付けキーボードの制御部は、濁音文字又は半濁音文字のキーコードを直接的に、携帯電話の制御部に送出できるからである。
【０００６】
しかし、ユーザーの要望によって「かな入力」で文字入力するタイプの携帯電話用外付けキーボードの開発に着手したとき、初めてこの問題に直面した。
【０００７】
従って、本発明の目的は、携帯電話用外付けキーボードから「かな入力」する場合、濁音記号「゛」のキーコード又は半濁音記号「゜」のキーコードを送出するとき、直前のかなキーコードに関する濁音かな文字又は半濁音かな文字とならずに、直前のかなキーコードとは別個に独立した一文字分の濁音記号「゛」又は半濁音記号「゜」をディスプレイ表示してしまう機種の携帯電話でも、直前のかなキーコードに関する濁音かな文字又は半濁音かな文字のキーコードを送出してかな漢字変換の変換対象となり得る文字列をディスプレイに表示させることができる携帯電話用外付けキーボードを得るにある。
【課題を解決するための手段】
【０００８】
この目的を達成するため、本発明携帯電話用外付けキーボードは、
外付けキーボードの制御部が、かなのキーに続いて適正な濁音記号「゛」のキー又は半濁音記号「゜」のキーが入力されたとき濁音かな文字又は半濁音かな文字の入力であると認識して、この濁音かな文字のキーコード又は半濁音かな文字のキーコードを外付けキーボードのメモリに一時的に記憶させるステップと、
外付けキーボードの制御部が、携帯電話の「Ｃｌｅａｒ」に対応するキーコードを前記携帯電話の制御部に２回送出して、独立した一文字分の濁音記号「゛」、又は半濁音記号「゜」、並びに直前のかな文字を削除するステップと、
前記メモリに一時記憶した濁音かな文字のキーコード又は半濁音かな文字のキーコードを前記携帯電話の制御部に送出するステップと
よりなることを特徴とする。
【発明の効果】
【０００９】
本発明によれば、濁音記号「゛」のキーコード、又は半濁音記号「゜」のキーコードを送出するとき、直前のかなキーコードに関する濁音かな文字又は半濁音かな文字とならずに、直前のかなキーコードとは別個に独立した一文字分の濁音記号「゛」又は半濁音記号「゜」をディスプレイ表示してしまう機種の携帯電話の場合でも、一瞬は直前の「かな」文字と、次に別個に独立した一文字分の濁音記号「゛」又は半濁音記号「゜」とをディスプレイに表示するが、外付けキーボードの制御部が、携帯電話の「Ｃｌｅａｒ」に対応するキーコードを前記携帯電話の制御部に２回送出するため、独立した一文字分の濁音記号「゛」又は半濁音記号「゜」及び直前のかな文字を削除する。
この後、外付けキーボードの制御部は、マイクロコンピュータにおけるメモリに一時記憶した濁音かな文字のキーコード又は半濁音かな文字のキーコードを携帯電話の制御部に送出するため、極めて僅かなタイムラグはあるものの、かな漢字変換の変換対象となり得る適正な文字列をディスプレイに表示させることができる。
【発明を実施するための最良の形態】
【００１０】
最良の実施の形態によれば、外付けキーボードの制御部は、キーボードが携帯電話に接続されたとき携帯電話の機種を判別し、その携帯電話が、外付けキーボードからのかなモード入力で濁音記号「゛」のキーコード又は半濁音記号「゜」のキーコードを送出する際に、直前のかなキーコードに関する濁音かな文字又は半濁音かな文字であると認識できる機種である場合、前記一連のステップを行わないように制御変更できる構成とする。
【００１１】
この構成によれば、１タイプの外付けキーボードだけで、外付けキーボードからのかなモード入力で濁音記号「゛」のキーコード又は半濁音記号「゜」のキーコードを送出する際に、直前の「かな」の濁音文字又は半濁音文字であると認識できる機種、及びできない機種のいずれにも対応することができる。
【００１２】
次に、図面につき、本発明の好適な実施例を説明する。
【実施例】
【００１３】
図２に示す実施例では、本発明による携帯電話用外付けキーボード１０は、本願人の従来の製品と同様に、左ハーフ１０ａと右ハーフ１０ｂとをヒンジ連結した折り畳み式とする。この折り畳み式キーボードの左ハーフ１０ａには、携帯電話１１の外部機器接続ポート１２（点線で示す）に直接接続できるコネクタ端子１３を回動自在に支持するコネクタ支持体１４及び展開したコネクタ端子１３に接続した携帯電話１１を立て掛けておくことができる折り畳み式スタンド１５を回動自在に取り付ける。また、左ハーフ１０ａには外付けキーボード１０の制御部としてのマイクロコンピュータ１６（点線で示す）を収容するケーシング１６′を設ける。
【００１４】
更に、好適な実施例の本発明携帯電話用外付けキーボード１０では、図示はしないが、図１に示す従来のキー配列に対して「かな」の刻印を施して「かな入力」モードで入力する人の便宜を図り、ただし、入力モード切替えによって、このキーボードでローマ字入力でも入力可能にする。勿論、「かな入力」モード専用の形式にすることもできる。
【００１５】
図３は、本発明による携帯電話用外付けキーボード１０に内蔵した制御部（マイクロコンピュータ）１６と、このキーボードを接続される携帯電話１１の制御部１７とを示すブロック回路図である。携帯電話１１の制御部１７は、携帯電話１１の表示部即ち、ディスプレイ１８を制御する。
【００１６】
図示は、「かな入力」と「ローマ字入力」の双方のモードを切替可能にした実施例のブロック図を示す。更に、携帯電話１１の外部機器接続ポート１２と、携帯電話用外付けキーボード１０のコネクタ端子１３とを直接接続することができるが、接続ケーブル１９の両側のコネクタ端子１９ａ，１９ｂをそれぞれ外部機器接続ポート１２及びキーボード側のコネクタ端子１３に接続することもできるようにし、図３のブロック図は接続ケーブル１９を介して携帯電話用外付けキーボード１０を携帯電話１１に接続した使用形態に関して説明する。
【００１７】
図示の実施例では、携帯電話用外付けキーボード１０に内蔵した制御部（マイクロコンピュータ）１６のメモリに記憶させた制御プログラム２０は、図示しないキー群からの信号Ｓに応答して動作する。「かな入力」モードを指示するキー群からの信号Ｓを受けて、制御はかな入力制御プログラムモジュール２１で動作する設定がなされる。「ローマ字入力」モードを指示するキー群からの信号Ｓを受けて、制御はローマ字入力制御プログラムモジュール２２で動作する設定がなされる。各制御プログラムモジュール２１，２２はそれぞれ対応のキーコードテーブル２３，２４を参照して、入力に応じたキーコードを携帯電話１１の制御部１７に送出する。
【００１８】
かな入力制御プログラムモジュール２１は、キー群からの信号Ｓが文字キー入力信号である場合、かなのキーに続いて適正な濁音記号「゛」のキー又は半濁音記号「゜」のキーが入力されたとき濁音かな文字又は半濁音かな文字の入力であると認識して、この濁音かな文字のキーコード又は半濁音かな文字のキーコードを外付けキーボードのＲＡＭ若しくはレジスタ２５に一時的に記憶する。
【００１９】
次に、外付けキーボードの制御部１６のかな入力制御プログラムモジュール２１は、携帯電話の「Ｃｌｅａｒ」に対応するキーコードを携帯電話１１の制御部１７に２回送出して、独立した一文字分の濁音記号「゛」、又は半濁音記号「゜」、並びに直前のかな文字を削除する。この後、ＲＡＭ若しくはレジスタ２５に一時記憶した濁音かな文字のキーコード又は半濁音かな文字のキーコードを携帯電話１１の制御部１７に送出する。
【００２０】
キー群からの信号Ｓが文字キー入力信号以外の信号に関する制御は共通制御プログラムモジュール２６によって動作する。この共通制御プログラムモジュール２６は、例えば、キーボード１０が携帯電話１１に接続されたとき、携帯電話１１の機種を判別する。更に、外付けキーボード１０からのかなモードの入力でも、濁音記号「゛」のキーコード又は半濁音記号「゜」のキーコードを送出する際に、直前のかなキーコードに関する濁音かな文字又は半濁音かな文字であると認識できる機種である場合、濁音又は半濁音処理に関するかな入力制御プログラムモジュール２１における上述の一連のステップを行わないようにかな入力制御プログラムモジュール２１を設定変更する。この場合は、かな入力制御プログラムモジュール２１は直接濁音記号「゛」のキーコード又は半濁音記号「゜」のキーコードを携帯電話１１の制御部１７に送出する。
【産業上の利用可能性】
【００２１】
本発明は、携帯電話メーカーが自社の携帯電話用に特別に作り込んだ外付けキーボードではない、従って、どの携帯電話メーカーの携帯電話にも対応できる外付けキーボードとして提供できる。
【図面の簡単な説明】
【００２２】
【図１】キーボードのキーに「かな」の刻印を付けない従来製品の携帯電話用外付けキーボードのキー配列を示す説明図である。
【図２】本発明による携帯電話用外付けキーボードと携帯電話を接続しない状態を示す斜視図である。
【図３】本発明による携帯電話用外付けキーボードの制御部と携帯電話の制御部との関係を示すブロック図である。
【符号の説明】
【００２３】
１０  携帯電話用外付けキーボード
10ａ  左ハーフ
10ｂ  右ハーフ
１１  携帯電話
１２  外部機器接続ポート
１３  コネクタ端子
１４  コネクタ支持体
１５  折り畳み式スタンド
１６  外付けキーボードの制御部（マイクロコンピュータ）
１７  携帯電話の制御部
１８  携帯電話の表示部（ディスプレイ）
１９  接続ケーブル
２０  制御プログラム
２１  かな入力制御プログラムモジュール
２２  ローマ字入力制御プログラムモジュール
２３  キーコードテーブル（かな入力モード）
２４  キーコードテーブル（ローマ字入力モード）
２５  ＲＡＭ若しくはレジスタ
２６  共通制御プログラムモジュール
【図１】
2005136927.tif 000003
【図２】
2005136927.tif 000004
【図３】
2005136927.tif 000005